(57)【要約】【課題】電力供給源として電気二重層キャパシタを有する画像形成装置において、当該キャパシタからの電力供給を安定しておこなう技術を提供する。【解決手段】画像形成装置１は、電気二重層キャパシタ部３１を有し、当該電気二重層キャパシタ部３１を介して自装置の各部に電力供給を行う電源部３０を有する構成であって、用紙に形成した画像を熱定着させる定着部２２により電気二重層キャパシタ部３１を加熱する。【選択図】図１
2009020178.tif 000002
【特許請求の範囲】
【請求項１】
電気二重層キャパシタを有し、当該電気二重層キャパシタを介して装置内の各部に電力供給を行う電源手段を有する画像形成装置において、
前記電気二重層キャパシタを加熱する加熱手段を有する画像形成装置。
【請求項２】
前記加熱手段は用紙に形成した画像を熱定着させる定着器であり、当該定着器近傍に前記電気二重層キャパシタを配置する請求項１に記載の画像形成装置。
【請求項３】
前記定着器の排熱を機外へ排出する排気口を有し、
前記電気二重層キャパシタを前記定着器から排気口までの連通部に配置する請求項２に記載の画像形成装置。
【請求項４】
前記加熱手段は前記電源手段における素子部であり、当該素子部近傍に前記電気二重層キャパシタを配置する請求項１に記載の画像形成装置。
【請求項５】
前記素子部に放熱板を実装し、当該放熱板近傍に前記電気二重層キャパシタを配置する請求項４に記載の画像形成装置。
【請求項６】
前記放熱板と前記電気二重層キャパシタとは熱伝導部材を介して接触する請求項５に記載の画像形成装置。
【請求項７】
前記加熱手段は機内除湿用ヒータであり、前記電気二重層キャパシタを当該機内除湿用ヒータ近傍に配置する請求項１に記載の画像形成装置。
【請求項８】
前記加熱手段は、前記電気二重層キャパシタの加熱に係る専用ヒータである請求項１に記載の画像形成装置。
【請求項９】
前記電気二重層キャパシタの電力供給先を前記自装置内の各部から前記専用ヒータへ切り替える切替手段と、
自装置がウオームアップ状態である際に、前記切替手段による電力供給先を前記専用ヒータへ切り替えるように制御する制御手段と、
を有する請求項８に記載の画像形成装置。
【発明の詳細な説明】
【技術分野】
【０００１】
本発明は、画像形成装置に関する。
【背景技術】
【０００２】
従来、電力供給源としてキャパシタを用いた画像形成装置が知られている。例えば、レーザ式のプリンタ、複写機などの画像形成装置では、感光体ドラム上へのトナー像を現像する書込ユニットや用紙上に転写されたトナー像を熱定着する定着器などの各機能部にキャパシタからの電力を供給するものがある。
【０００３】
上述したキャパシタは、温度が低いほうが内部インピーダンスが高い特性を有している。例えば、０°Ｃでは２０°Ｃ時の約２倍のインピーダンスがある。このため、キャパシタを用いて電力供給を行う場合は、電力供給時の電流が大電流となるほど電圧降下が大きくなり、十分な出力が得られないばかりか電力損失も大きくなるという問題があった。
【０００４】
このような問題に対して、例えば特許文献１には、低温時にキャパシタの静電容量が低下し、内部抵抗が増大する特性を補償するため、充電電圧を制御する技術が開示されている。特許文献２には、電池の内部抵抗が増加する方向の温度変化を検知した場合に充電電流を抑制して電圧降下を抑制する技術が開示されている。特許文献３には、急激な負荷変動時にも蓄電装置を用いる電源から取り出す電流の変化を少なくして損失を抑制する技術が開示されている。
【特許文献１】特開２００２−１４２３７３号公報
【特許文献２】特開２００４−７４８７４号公報
【特許文献３】特開２００４−１６６５７７号公報
【発明の開示】
【発明が解決しようとする課題】
【０００５】
しかしながら、上述した従来技術では、いまだ十分に安定した電力供給を得ることができず、キャパシタにおける電力損失も十分に改善することができなかった。いため、画像形成装置を安定して動作させることができなかった。
【０００６】
本発明の課題は、上記従来技術の問題に鑑みてなされたものであり、電力供給源として電気二重層キャパシタを有する画像形成装置において、当該キャパシタからの電力供給を安定しておこなう技術を提供することである。
【課題を解決するための手段】
【０００７】
上記課題を解決するために、請求項１に記載の発明は、電気二重層キャパシタを有し、当該電気二重層キャパシタを介して装置内の各部に電力供給を行う電源手段を有する画像形成装置において、
前記電気二重層キャパシタを加熱する加熱手段を有する。
【０００８】
請求項２に記載の発明は、請求項１に記載の発明において、前記加熱手段は用紙に形成した画像を熱定着させる定着器であり、当該定着器近傍に前記電気二重層キャパシタを配置する。
【０００９】
請求項３に記載の発明は、請求項２に記載の発明において、前記定着器の排熱を機外へ排出する排気口を有し、
前記電気二重層キャパシタを前記定着器から排気口までの連通部に配置する。
【００１０】
請求項４に記載の発明は、請求項１に記載の発明において、前記加熱手段は前記電源手段における素子部であり、当該素子部近傍に前記電気二重層キャパシタを配置する。
【００１１】
請求項５に記載の発明は、請求項４に記載の発明において、前記素子部に放熱板を実装し、当該放熱板近傍に前記電気二重層キャパシタを配置する。
【００１２】
請求項６に記載の発明は、請求項５に記載の発明において、前記放熱板と前記電気二重層キャパシタとは熱伝導部材を介して接触する。
【００１３】
請求項７に記載の発明は、請求項１に記載の発明において、前記加熱手段は機内除湿用ヒータであり、前記電気二重層キャパシタを当該機内除湿用ヒータ近傍に配置する。
【００１４】
請求項８に記載の発明は、請求項１に記載の発明において、前記加熱手段は、前記電気二重層キャパシタの加熱に係る専用ヒータである。
【００１５】
請求項９に記載の発明は、請求項８に記載の発明において、前記電気二重層キャパシタの電力供給先を前記自装置内の各部から前記専用ヒータへ切り替える切替手段と、
自装置がウオームアップ状態である際に、前記切替手段による電力供給先を前記専用ヒータへ切り替えるように制御する制御手段と、
を有する。
【発明の効果】
【００１６】
請求項１に記載の発明によれば、装置内の各部に電力供給する電気二重層キャパシタを加熱することができ、低温時に増大する内部抵抗で電気二重層キャパシタからの電力供給が不安定になることなく、安定した電力供給を各部に行うことができる。
【００１７】
請求項２に記載の発明によれば、用紙に形成した画像を熱定着させる定着器の余熱で電気二重層キャパシタの加熱を行うことができる。
【００１８】
請求項３に記載の発明によれば、機外へ排出する定着器の排熱を利用して電気二重層キャパシタの加熱を行うことができる。
【００１９】
請求項４に記載の発明によれば、電源手段における素子部の余熱で電気二重層キャパシタの加熱を行うことができる。
【００２０】
請求項５に記載の発明によれば、放熱板を介することで素子部の余熱を効率的に熱伝達して電気二重層キャパシタを加熱することができる。
【００２１】
請求項６に記載の発明によれば、熱伝導部材を介することで放熱板から効率的に熱伝達して電気二重層キャパシタを加熱することができる。
【００２２】
請求項７に記載の発明によれば、機内除湿用ヒータの余熱を利用して電気二重層キャパシタの加熱を行うことができる。
【００２３】
請求項８に記載の発明によれば、専用ヒータで電気二重層キャパシタの加熱を行うことができる。
【００２４】
請求項９に記載の発明によれば、自装置がウオームアップ状態である際に、電気二重層キャパシタの加熱を優先することができる。
【発明を実施するための最良の形態】
【００２５】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００２６】
［第１の実施の形態］
第１の実施の形態に係る画像形成装置について、図１〜図５を参照して説明する。図１は、本実施の形態に係る画像形成装置１の機能的構成を模式的に示す概念図である。図２は、電源部３０の機能的構成を模式的に示すブロック図である。図３は、定着部２２近傍の装置側面を例示する概念図である。図４は、定着部２２の排熱経路を例示する概念図である。図５は、キャパシタの温度と内部抵抗値との関係を示すグラフである。
【００２７】
先ず、画像形成装置の構成について説明する。図１に示すように、画像形成装置１は、画像読取部１０、画像形成部２０、電源部３０、制御部４０、除湿ヒータ５０、搬送部９０を備えて構成される。
【００２８】
画像読取部１０は、自動原稿給紙装置１１、原稿画像走査装置１２等から構成されている。自動原稿給紙装置１１は、原稿台に載置された原稿ｄを搬送機構により搬送して原稿画像走査装置１２の方へ送り出し、原稿画像走査装置１２は搬送された原稿ｄを光走査し、センサＣＣＤにより光電変換して原稿画像を読み取る。
【００２９】
画像読取部１０により読み取られた原稿画像（アナログ画像信号）は、後述する制御部４０に出力され、アナログ処理、Ａ／Ｄ変換処理、シェーディング補正、画像圧縮処理等の各種画像処理が施された後、Ｙ（イエロー）、Ｍ（マジェンダ）、Ｃ（シアン）、Ｋ（クロ）の各色に色分解され、出力用画像データとして画像形成部２０の露光ユニット２Ｙ、２Ｍ、２Ｃ、２Ｋに出力される。
【００３０】
なお、自動原稿給紙装置１１は、原稿の両面を読み取るための搬送機光を有しており、原稿台から搬送される多数枚の原稿ｄの画像（両面を含む）を連続して一挙に読み取ることが可能である。読み取られた原稿画像のデータは画像形成部２０内部の画像メモリに記憶され、出力時に順次出力用データとして読み出されて露光ユニット２Ｙ、２Ｍ、２Ｃ、２Ｋに出力されることとなる。この機能は、複写機能により多数枚の原稿画像を複写する場合、或いはファクシミリ機能により多数枚の原稿ｄのデータを送信する場合等に利用する。
【００３１】
画像形成部２０は、タンデム方式で用紙に画像形成を行うものであり、Ｙ、Ｍ、Ｃ、Ｋの色ごとに、主走査方向にライン状に配列した発光素子などである露光ユニット２Ｙ、２Ｍ、２Ｃ、２Ｋ、現像ユニット３Ｙ、３Ｍ、３Ｃ、３Ｋ、感光体ドラム４Ｙ、感光体ドラム４Ｍ、４Ｃ、４Ｋ、一次転写ローラ７Ｙ、７Ｍ、７Ｃ、７Ｋ、中間転写ベルト８などを備えている。感光体ドラム４Ｙ、４Ｍ、４Ｃ、４Ｋの周囲には、帯電を行う帯電部５Ｙ、５Ｍ、５Ｃ、５Ｋ、感光体ドラム４Ｙ、４Ｍ、４Ｃ、４Ｋ上の残存トナーを除去するクリーニング部６Ｙ、６Ｍ、６Ｃ、６Ｋが設けられている。
【００３２】
また、画像形成部２０は、中間転写ベルト８上に転写されたトナー像を用紙上に転写するための二次転写ローラ２１、用紙上に転写後のトナー像を熱定着させる定着部２２を備えている。中間転写ベルト８は、複数のローラにより巻回されて回動可能に支持されている。この中間転写ベルト８に面して、当該中間転写ベルト８上の残存トナーを除去するクリーニング部９が設けられている。
【００３３】
画像形成部２０における画像形成は、後述する制御部４０の制御の下、露光ユニットにより各色の感光体ドラムに静電潜像を形成し、その静電潜像へトナーを付着させたトナー像を中間転写ベルト８に形成して用紙へ転写し、その用紙上のトナー像を定着部２２で熱定着して行う。
【００３４】
電源部３０は、定着部２２の上部に配置された電気二重層キャパシタ部３１を有する。具体的には、電源部３０は、図２に示すように、電気二重層キャパシタ部３１、外部電源３２、電流制御回路３３を有している。電源部３０は、制御部４０の制御の下、外部電源３２から供給される電力を電気二重層キャパシタ部３１を介して画像形成装置１の各部に供給する。
【００３５】
制御部４０は、ＣＰＵ（Central  Processing  Unit）、ＲＡＭ（Random  Access  Memory）、ＲＯＭ（Read  Only  Memory）などを備えている（いずれも図示しない）。制御部４０は、ＣＰＵにおいてＲＡＭの所定領域を作業領域とし、ＲＯＭやＨＤＤ等の記憶部（特に図示しない）に記憶される制御プログラムやアプリケーションプログラム、各種設定データを読み込んで順次実行することで、画像形成装置１の動作を統括制御する。また、制御部４０は、上述したプログラムを順次実行することで、前述した各種画像処理を行う。
【００３６】
除湿ヒータ５０は、画像形成装置１の底部に設けられ、制御部４０の制御の下に駆動することで、装置内の温度調整を行って結露を防止する除湿用のヒータである。
【００３７】
搬送部９０は、搬送用のローラ機構などにより、用紙トレイＴ１〜Ｔ３に載置された用紙を搬送経路に沿って各部へ搬送し、機外の排紙トレイ（特に図示せず）へ排紙する。具体的には、搬送部９０は、用紙トレイＴ１〜Ｔ３に載置された用紙の二次転写ローラ２１への搬送、二次転写ローラ２１でトナー画像を転写された後の用紙の定着部２２への搬送、定着部２２で熱定着された用紙の排紙トレイへの排紙などを行う。
【００３８】
ここで、電気二重層キャパシタ部３１の詳細について説明する。電気二重層キャパシタ部３１は、図３、４に示すように、基板３１１上に複数の電気二重層キャパシタ３１２を有する構成である。電気二重層キャパシタ３１２は、固定電極（例えば、活性炭）と電解液の境面に電荷が蓄積される電気二重層現象を利用したキャパシタである。電気二重層キャパシタ３１２の耐圧限界は、１個あたり最大２．５（Ｖ）程度である。このため、電気二重層キャパシタ３１２は直列に接続されている。例えば、１０個以上が直列で接続されることで、負荷が２４（Ｖ）程度であるモータ等の駆動系への電力供給が可能となっている。なお、電気二重層キャパシタ３１２に電気二重層キャパシタを用いる場合は、小型でファラッド（Ｆ）単位の大容量の静電容量を得ることができる。また、特別な充放電管理回路が不要であるとともに、短時間で充電できる。
【００３９】
図１、３、４に示すように、電気二重層キャパシタ部３１は、稼働時に余熱で周囲が高温となる定着部２２近傍に配置される。このため、電気二重層キャパシタ部３１は、稼働する定着部２２からの熱放射によって加熱され、他の部位に設置した場合より稼働時の温度環境が高温となる。
【００４０】
また、定着部２２に対する電気二重層キャパシタ部３１の配置位置は定着部２２の上部である。このため、電気二重層キャパシタ部３１は、稼動する定着部２２の周囲で加熱された雰囲気に曝されることで加熱される。
【００４１】
図３、４に示すように、画像形成装置１における定着部２２近傍の側板Ｐ１、Ｐ２には、上述した定着部２２で加熱された空気を排出して排熱するための排気口３４ａ、３４ｂが設けられている。定着部２２の上方には天板Ｐ３が設けられており、定着部２２で加熱された空気を排気口３４ａ、３４ｂへ排出する連通部３５が形成されている。電気二重層キャパシタ部３１は、定着部２２の上部である連通部３５に配置されている。即ち、電気二重層キャパシタ部３１は、定着部２２の排熱経路に配置されており、定着部２２の余熱により効率よく加熱される。
【００４２】
なお、電気二重層キャパシタ部３１の配置位置は連通部３５内であればいずれであってもよく、特に限定しない。また、電気二重層キャパシタ部３１の設置向きについては、図３、図４に示すような基板３１１上の電気二重層キャパシタ３１２が設置された面を定着部２２の上方に向けた設置向き以外であり、電気二重層キャパシタ３１２が設置された面を定着部２２側に向けた設置向きであってもよく、特に限定するものではない。
【００４３】
以上のように、画像形成装置１は、電気二重層キャパシタ部３１を有し、当該電気二重層キャパシタ部３１を介して自装置の各部に電力供給を行う電源部３０を有する構成であって、用紙に形成した画像を熱定着させる定着部２２により電気二重層キャパシタ部３１を加熱する構成である。
【００４４】
このため、画像形成装置１は、電気二重層キャパシタ部３１の内部抵抗を低く抑えることができ、当該電気二重層キャパシタ部３１から各部へ安定した電力供給を行うことができる。具体的には、電気二重層キャパシタ部３１における各電気二重層キャパシタの温度−内部抵抗特性は、図５にしめすように、低温時に内部抵抗値が高くなる。しかしながら、電気二重層キャパシタ部３１を定着部２２により加熱することで、電気二重層キャパシタ部３１の内部抵抗値を低くして電力損失を抑え、各部へ安定した電力供給を行うことができる。
【００４５】
電気二重層キャパシタは、容量が大きいほど内部抵抗が低くなるが、サイズが大きくコスト高となってしまう。例えば、画像形成装置１に設置する電気二重層キャパシタとしては、電源部３０において周期的な突入電流が発生しており、１回当たりのエネルギーが１６（Ｊ）であった場合、２４（Ｖ）電源に対して許容される電圧降下を２（Ｖ）と設定し、電気二重層キャパシタ部３１に必要なキャパシタ容量（Ｃ）を１６（Ｊ）＝１／２Ｃ×２４＾２−１／２Ｃ×（２４−２）＾２により算出すると、Ｃ＝０．３５（Ｆ）を満たすものがある。
【００４６】
しかし、直列接続した場合の内部抵抗を考慮すると、算出値よりも十分に余裕のあるものを設置しなければならないため、実際にはコスト高となる。ところが、画像形成装置１では、電気二重層キャパシタの内部抵抗値を低くすることができるため、上述した算出値程度のキャパシタ容量であればよく、コスト増加を防止することができる。
【００４７】
また、画像形成装置１は、定着部２２の排熱を機外へ排出する排気口３４ａ、３４ｂを有し、電気二重層キャパシタ部３１を定着部２２から排気口３４ａ、３４ｂまでの排熱経路である連通部３５に配置する構成である。このため、画像形成装置１は、定着部２２の余熱により電気二重層キャパシタ部３１を効率よく加熱することができ、電気二重層キャパシタ部３１の内部抵抗値を低くして電力損失を抑え、各部へ安定した電力供給を行うことができる。
【００４８】
［変形例１］
次に、上述した画像形成装置１における電気二重層キャパシタ部３１の変形例１について、図６を参照して説明する。図６は、変形例１に係る電気二重層キャパシタ部３１ａを例示する概念図である。
【００４９】
図６に示すように、電気二重層キャパシタ部３１ａは、基板３１１上に設置された複数の電気二重層キャパシタ３１２近傍において、充放電管理回路等の当該電気二重層キャパシタ３１２に係る素子部であるダイオード３１３、トランジスタ／ＦＥＴ３１４、抵抗器３１５を有する構成である。このため、電気二重層キャパシタ部３１ａでは、上述した素子部の熱放射や、当該素子部により加熱された雰囲気に曝すことで、電気二重層キャパシタ３１２を加熱する。
【００５０】
また、ダイオード３１３、トランジスタ／ＦＥＴ３１４には放熱板３１６ａ、３１６ｂが実装されている。この素子部における放熱板の実装は、電気二重層キャパシタ３１２の設置方向に向かって当接されるものである。放熱板３１６ａ、３１６ｂは、熱伝導性の高い部材、例えばアルミニウム成形品で構成されている。なお、放熱板３１６ａ、３１６ｂの部材は、熱伝導性の良好なものであれば、他の部材（材質）であってもよい。熱伝導性の良い部材（材質）としては、例えば、マグネシウム合金、ＳＵＳ（特殊用途ステンレス鋼板）、チタン合金、鉄、銅、いわゆるダイカスト成形品に用いられる種々の金属、熱伝導性の高い樹脂等が挙げられる。
【００５１】
以上のように、変形例１に示した画像形成装置１では、電気二重層キャパシタ３１２に係る素子部であるダイオード３１３、トランジスタ／ＦＥＴ３１４、抵抗器３１５の近傍に当該電気二重層キャパシタ３１２を設置する構成である。このため、変形例１では、素子部の余熱で電気二重層キャパシタ３１２を加熱することができ、当該電気二重層キャパシタ３１２の内部抵抗値を低くして電力損失を抑え、各部へ安定した電力供給を行うことができる。
【００５２】
また、変形例１に示した画像形成装置１では、電気二重層キャパシタ部３１ａにおいて、ダイオード３１３、トランジスタ／ＦＥＴ３１４等の素子部に放熱板３１６ａ、３１６ｂを実装し、当該放熱板近傍に電気二重層キャパシタ３１２を配置する構成である。このため、変形例１では、放熱板３１６ａ、３１６ｂによる熱放射や、当該放熱板により加熱された雰囲気に曝すことで、素子部による電気二重層キャパシタ３１２の加熱を効率的に行うことができる。
【００５３】
［変形例２］
次に、上述した画像形成装置１における電気二重層キャパシタ部３１の変形例２について、図７を参照して説明する。図７は、変形例２に係る電気二重層キャパシタ部３１ｂを例示する概念図である。
【００５４】
図７に示すように、電気二重層キャパシタ部３１ｂは、基板３１１上において、前述したトランジスタ／ＦＥＴ３１４、３１３等の素子部に実装された放熱板３１６と、複数の電気二重層キャパシタ３１２と、が、固定部材３１８によりその設置位置が固定されるとともに、熱伝導シート３１７を介して接触する構成である。なお、熱伝導シート３１７は、放熱板と同様に、熱伝導性の高い部材であればいずれであってもよい。
【００５５】
以上のように、変形例２で示した画像形成装置１では、電気二重層キャパシタ部３１ｂにおいて、素子部に放熱板３１６を実装するとともに、当該放熱板３１６と電気二重層キャパシタ３１２とは熱伝導シート３１７を介して接触する構成である。このため、変形例２では、素子部の余熱を熱伝導性の高い部材を介して電気二重層キャパシタ３１２に伝導することができ、より効率的に電気二重層キャパシタ３１２を加熱することができる。
【００５６】
［変形例３］
次に、上述した画像形成装置１における変形例３であり、電気二重層キャパシタ部３１の設置場所の変形例について、図８を参照して説明する。図８は、電気二重層キャパシタ部の設置場所の変形例を例示する概念図である。
【００５７】
図８に示すように、電気二重層キャパシタ部３１は、底板Ｐ４などに設置された機内除湿用の除湿ヒータ５０近傍であり、当該除湿ヒータ５０の上部に設置されてもよい。即ち、変形例３では、除湿ヒータ５０の余熱で電気二重層キャパシタ部３１を加熱することができる。
【００５８】
［変形例４］
次に、上述した画像形成装置１における変形例４について、図９、１０を参照して説明する。図９は、変形例４に係る電気二重層キャパシタ部３１ｃを例示する概念図である。図１０は、変形例４に係る電源部３０ｃの機能的構成を模式的に示すブロック図である。
【００５９】
図９に示すように、電気二重層キャパシタ部３１ｃは、基板３１１上において、複数の電気二重層キャパシタ３１２と、ヒータ３１９ａ、３１９ｂが設けられた放熱板３１６と、が、熱伝導シート３１７を介して接触する構成である。即ち、電気二重層キャパシタ部３１ｃは、電気二重層キャパシタ３１２を加熱する専用のヒータを有する構成である。
【００６０】
なお、ヒータ３１９ａ、３１９ｂは、ハロゲンヒータ、カーボンヒータ、電熱線、セラミックヒータ又は誘導加熱（ＩＨ：Induction  Heating）コイルなどであってよく、特に限定しない。
【００６１】
また、ヒータ３１９ａ、３１９ｂと電気二重層キャパシタ３１２との設置構成は、図９に例示したような放熱板３１６と熱伝導シート３１７を介して熱伝導させる構成以外であって、例えば、ヒータ３１９ａ、３１９ｂ近傍に電気二重層キャパシタ３１２を配置するなど、ヒータによる熱放射や電気二重層キャパシタ３１２周りの雰囲気を高温にする構成であってよく、特に限定しない。
【００６２】
図１０に示すように、電気二重層キャパシタ部３１ｃは、制御部４０の制御の下、外部電源３２から供給される電力を電気二重層キャパシタ部３１ｃを介して画像形成装置１の各部に供給する構成であるとともに、当該電気二重層キャパシタ部３１ｃを介した電力供給先を画像形成装置１の各部又はヒータ３１９ａ、３１９ｂへ切り替える切替スイッチ３６を有する。この切替スイッチ３６における電力供給先の切り替えは制御部４０からの制御信号に基づいて行われる。
【００６３】
制御部４０は、自装置の各部のウオームアップ時に、電気二重層キャパシタ部３１ｃを介した電力供給先をヒータ３１９ａ、３１９ｂへ切り替えるように切替スイッチ３６へ制御信号を出力する。このウオームアップとは、速やかに画像形成が行えるように、制御部４０の制御の下で定着部２２や除湿ヒータ５０を駆動させて準備を行うことであり、例えば電源投入時などに実施される。
【００６４】
なお、上述したウオームアップ時における電力供給先の切り替えは、先ずヒータ３１９ａ、３１９ｂへ供給した後に他の各部へ供給する等、ヒータ３１９ａ、３１９ｂへの電力供給を優先的に行うものであればよい。具体的には、所定時間経過して電気二重層キャパシタ部３１が十分加熱された後には他の各部へ供給する構成であってよい。
【００６５】
以上のように、変形例４で示した画像形成装置１は、電気二重層キャパシタ３１２の加熱を行う専用ヒータであるヒータ３１９ａ、３１９ｂを有する構成である。このため、変形例４では、電気二重層キャパシタ部３１ｃの内部抵抗を低く抑えることができ、当該電気二重層キャパシタ部３１ｃから各部へ安定した電力供給を行うことができる。
【００６６】
また、変形例４では、電気二重層キャパシタ部３１ｃの電力供給先を自装置内の各部からヒータ３１９ａ、３１９ｂへ切り替える切替スイッチ３６と、自装置がウオームアップ状態である際に、切替スイッチ３６による電力供給先をヒータ３１９ａ、３１９ｂへ切り替えるように制御する制御部４０と、を有する構成である。
【００６７】
このため、変形例４では、ウオームアップ時に先ず電気二重層キャパシタ部３１ｃの加熱を行うことができ、寒冷地などで使用する場合であっても、電気二重層キャパシタ部３１から各部へ安定した電力供給を行うことができる。
【００６８】
なお、上述した実施の形態における記述は、一例を示すものであり、これに限定するものではない。上述した実施の形態における構成及び動作に関しては、適宜変更が可能である。
【図面の簡単な説明】
【００６９】
【図１】第１の実施の形態に係る画像形成装置の構成を示す概念図である。
【図２】電源部の機能的構成を模式的に示すブロック図である。
【図３】定着部近傍の側面を例示する概念図である。
【図４】定着部の排熱経路を例示する概念図である。
【図５】キャパシタの温度と内部抵抗値との関係を示すグラフである。
【図６】変形例１に係る電気二重層キャパシタ部を例示する概念図である。
【図７】変形例２に係る電気二重層キャパシタ部を例示する概念図である。
【図８】電気二重層キャパシタ部の設置場所の変形例を例示する概念図である。
【図９】変形例４に係る電気二重層キャパシタ部を例示する概念図である。
【図１０】変形例４に係る電源部の機能的構成を模式的に示すブロック図である。
【符号の説明】
【００７０】
１  画像形成装置
１０  画像読取部
２０  画像形成部
２１  二次転写ローラ
２２  定着部
３０、３０ｃ  電源部
３１、３１ａ、３１ｂ、３１ｃ  電気二重層キャパシタ部
３１１  基板
３１２  電気二重層キャパシタ
３１３  ダイオード
３１４  トランジスタ／ＦＥＴ
３１５  抵抗器
３１６、３１６ａ、３１６ｂ  放熱板
３１７  熱伝導シート
３１８  固定部材
３１９ａ、３１９ｂ  ヒータ
３２  外部電源
３３  電流制御回路
３４ａ、３４ｂ  排気口
３５  連通部
３６  切替スイッチ
４０  制御部
５０  除湿ヒータ
９０  搬送部
Ｐ１、Ｐ２  側板
Ｐ３  天板
Ｐ４  底板
【図１】
2009020178.tif 000003
【図２】
2009020178.tif 000004
【図３】
2009020178.tif 000005
【図４】
2009020178.tif 000006
【図５】
2009020178.tif 000007
【図６】
2009020178.tif 000008
【図７】
2009020178.tif 000009
【図８】
2009020178.tif 000010
【図９】
2009020178.tif 000011
【図１０】
2009020178.tif 000012